(57)【要約】      （修正有）【課題】好ましい外観を具え、かつ取り外して交換することが可能な表示装置付きキーを提供する。【解決手段】回路基板に接続するキー本体１と、  該キー本体を貫通して形成される中空部１４と、該キー本体上に設けるキー当接部材２と、該中空部を貫通して設けられ、かつ、両端がそれぞれ該回路基板６と該キー当接部材とに接続するキー信号接続部材２１と、該キー本体上に設けられるスクリーン支持部材３と、該スクリーン支持部材に設けられる表示手段４と、該表示手段上に設けられ、該表示手段当接部材との当接に供するキー当接部材と、該表示手段と該スクリーン支持部材上に設けられるキーキャップ５とを含んでなる。【選択図】図２
0003225304.tif 000002
【実用新案登録請求の範囲】
【請求項１】
回路基板に接続するキー本体と、
該キー本体を貫通して形成される中空部と、
該キー本体上に設けるキー当接部材と、
該中空部を貫通して設けられ、かつ、両端がそれぞれ該回路基板と該キー当接部材とに接続するキー信号接続部材と、
該キー本体上に設けられるスクリーン支持部材と、
該スクリーン支持部材に設けられる表示手段と、
該表示手段上に設けられ、表示手段当接部材との当接に供するキー当接部材と、
該表示手段と該スクリーン支持部材上に設けられるキーキャップと、を含んでなることを特徴とする取り外し可能な表示装置付きキー。
【請求項２】
前記キー本体を固定ボードに設け、かつ該キー本体が、該固定ボードに当接して該キー本体の位置を該固定ボード上に制限する当接部を具えることを特徴とする請求項１に記載の取り外し可能な表示装置付きキー。
【請求項３】
前記キーキャップ上に位置を限定して少なくとも１以上の光透過部を設けることを特徴とする請求項１に記載の取り外し可能な表示装置付きキー。
【請求項４】
前記キー本体が、取付け部と、及び該取付け部上に可動な状態に設ける押圧部とを具え、かつ該押圧部上に、該キー当接部材を支持する押圧支持部材が設けられ、該スクリーン支持部材が当接支持部を具え、該押圧部が
該当接支持部に当接する押圧当接部を具えることを特徴とする請求項１に記載の取り外し可能な表示装置付きキー。
【請求項５】
前記キーキャップに、該スクリーン支持部材に接続するキーキャップ接続部を設けるとともに、該スクリーン支持部材に、該キーキャップ接続部に接続する接続支持部を設けることを特徴とする請求項１に記載の取り外し可能な表示装置付きキー。
【考案の詳細な説明】
【技術分野】
【０００１】
この考案は、入力機器のキーに関し、特に好ましい外観と使用上の便利さとを具えた取り外し可能な表示装置付きキーに関する。
【背景技術】
【０００２】
一般に、コンピュータのキーボードは外部接続デバイスの一つであって、通常は方形、又は方形に近似した形状を有した１セットのプッシュボタン、もしくは「キー」と称する入力手段を具えてなる。該キーのキートップにはキャラクタが印字され、通常の状況において、そのほとんどが１つのキーを押下することによって、対応する一つの字母や数字又は記号などの符号が表示される。
【０００３】
然しながら、一般にキーボードは、それぞれのキーに標示されたキャラクタを変更することができない。よって、目下市場には表示装置を具えたキーが出現した。係るキーによってユーザーは必要に応じて表示するキャラクタを調整することができる。
【０００４】
但し、前述する表示装置付きキーには、尚も問題、欠点を有しており改善が望まれる。即ち、第１に従来の表示装置付きキーは、キーの表示装置に接続する接続線がキーの外側に設けられ、全体的な外観に影響を与える。次に、従来の表示装置付きキーはユーザー自身で取り外し交換することができない。
【考案の概要】
【考案が解決しようとする課題】
【０００５】
そこで、この考案は好ましい外観を具え、かつ取り外して交換することが可能な表示装置付きキーを提供することを課題とする。
【課題を解決するための手段】
【０００６】
この考案による表示装置付きキーは、キー本体と、該キー本体を貫通して形成される中空部と、該キー本体上に設けるキー当接部材と、該中空部を貫通して設けられるキー信号接続部材と、該キー本体上に設けられるスクリーン支持部材と、該スクリーン支持部材に設けられる表示手段と、該表示手段上に設けられる表示手段当接部材と、該表示手段と該スクリーン支持部材上に設けられるキーキャップと、を含んでなる。
【０００７】
以上の構成によって、ユーザーは該キー本体を回路基板上に設けることができる。該キー信号接続部材の両端は、それぞれ回路基板とキー当接部材とに接続する。使用する場合、該キーキャップを押下すると該スクリーン支持部材によって該キー本体が押圧されてキー信号が回路基板に送信される。同時にキー信号接続部材と、キー当接部材と、表示手段当接部材とを介してキー信号を該表示手段に伝送してキャラクタを表示させる。よって、表示機能を具えたキーとして使用できる。また、信号を伝送する該キー信号接続部材は該中空部内に位置し、外部に露出しない。よって、使用上好ましい外観が得られるという効果を具える。
【０００８】
また、該表示手段は該表示手段当接部材によって該キー当接部材に当接する。よって、該表示手段が損壊するか、もしくはユーザー自身で他の表示手段と交換したくなった場合、直接表示手段を取り出して新しいものに交換するか、他の表示手段と交換し、該表示手段当接部材を該キー当接部材に当接させることで、直接使用することができる。したがって、ユーザー自身で交換することができ、使用上の利便性を高めることができる。
【図面の簡単な説明】
【０００９】
【図１】この考案による表示装置付きキーの外観を示した斜視図である。
【図２】この考案による表示装置付きキーを分解した状態を示した説明図である。
【図３】この考案による表示装置付きキーを分解した状態を他の角度から示した説明図である。
【図４】この考案による表示装置付きキーを押下した状態を示した説明図である。
【図５】この考案による表示装置付きキーの使用状態を示した説明図である。
【図６】この考案による表示装置付きキーを取り外す動作を示した説明図である。
【図７】この考案による表示装置付きキーを取り外す動作を示した他の説明図である。
【図８】他の実施の形態による表示装置付きキーの外観を示した斜視図である。
【図９】他の実施の形態による表示装置付きキーを分解した状態を示した説明図である。
【図１０】他の実施の形態による表示装置付きキーを取り外す動作を示した他の説明図である。
【考案を実施するための形態】
【実施例】
【００１０】
図１から図３に開示するように、この考案は、キー本体１と当接部１３と、中空部１４と、押圧支持部材１５と、キー当接部材２と、キー信号接続部材２１と、スクリーン支持部材３と、接続支持部３１と、押圧当接部１２１と、表示手段４と、表示手段当接部材４１と、キーキャップ５と、を含んでなる。
【００１１】
実施例においてキー本体１は機械式プッシュキーを例として開示する。よって、キー本体１は取付け部１１と、及び取付け部１１上に可動な状態に設ける押圧部１２とを具え、かつキー本体１は回路基板６に接続するとともに、固定ボード７に設けられる。
【００１２】
当接部１３はキー本体１に設けられ、かつ当接部１３はキー本体１が固定ボード７上に位置を限定して当接するようにアシストする。
【００１３】
中空部１４はキー本体１に形成され、かつ中空部１４は同時に押圧部１２と取付け部１１とを貫通する。
【００１４】
押圧支持部材１５は押圧部１２上に設けられる。実施例において押圧支持部材１５は押圧部１２上に載置される支持板である。
【００１５】
キー当接部材２はキー本体１上に設けられる。実施例においてキー当接部材２は押圧支持部材１５上に載置され、かつ抜き取りが可能な接続用のソケットである。
【００１６】
キー信号接続部材２１は、中空部１４を貫通して設けられる。実施例においてキー信号接続部材２１は、両端がそれぞれ回路基板６とキー当接部材２とに接続するフレキシブル回路ボードである。
【００１７】
スクリーン支持部材３はキー本体１上に設けられる。
【００１８】
接続支持部３１はスクリーン支持部材３上に設けられる。
【００１９】
押圧当接部１２１は、押圧部１２上に設けられ、接続支持部３１との接触に供する。実施例において、接続支持部３１はスクリーン支持部材３上に形成される凸状部であって、押圧当接部１２１は接続支持部３１に形成する凹状部との当接に供する。
【００２０】
表示手段４は、スクリーン支持部材３上に設ける。実施例において表示手段４はフレキシブル回路ボードに接続する表示スクリーンである。
【００２１】
表示手段当接部材４１は表示手段４上に設けられる。実施例において表示手段当接部材４１はキー当接部材２に接続するソケットである。
【００２２】
キーキャップ５はスクリーン支持部材３上に設け、かつキーキャップ５上に位置を限定して光透過部５３を形成する。実施例において、キーキャップ５の本体は、いずれも光透過性を有して光透過部５３とする。但し、係る方式に限定しない。
【００２３】
図１から図７に開示するように、スクリーン支持部材３は当接支持部３１を押圧当接部材１２に挿入することによって、スクリーン支持部座３をキー本体１の押圧部１２上に載置させる。同時に、表示手段当接部材４１がキー当接部材２に当接してキー当接部材２が押圧支持部材１５上に位置決めされる。したがって、取り付ける場合ユーザーはキー当接部材２を直視して位置合わせを行なうことができ、取り付けの利便性が得られる。そして、さらにキーキャップ５を表示手段４とスクリーン支持部材３上に載置することによって使用が可能となる。
【００２４】
ユーザーがキーキャップ５を押下すると、スクリーン支持部材３と押圧部１２が連動する。キー本体１が押圧を受けると、キー信号が回路基板６に送信される（取付け部１１の位置が当接部１３によって固定ボード７上に限定されることにより、押圧の力が直接回路基板６に伝わって回路基板６の損壊を招くことを防ぐことができる）。回路基板６はキー信号接続部材２１と、キー当接部材２と、表示手段当接部材４１とを介してキー信号を表示手段４に伝送して関連するキャラクタを表示させ、かつキャラクタが光透過部５３を介して表示される。全体的に押下して作動させる場合、キー信号接続部材２１は中空部１４内に位置し、外部に露出しない。よって、使用上好ましい外観が得られるという効果が発生する。また、ユーザーがキー信号接続部材２１に触れることがないため、損壊を招く機会が低減する。
【００２５】
表示手段４が損壊するか、もしくはユーザー自身で交換したくなった場合は、先ずキーキャップ５を取り外し、スクリーン支持部材３を引き抜くと、表示手段４が連動して移動する。さらにキー当接部材２を表示部材当接部材４１から離すと、キー当接部材２及び表示部材当接部材４１を抜き取り自在に設けた効果によって、ユーザーが必要に応じて自身で表示部材４を交換することができ、使用上の利便性が得られる。また表示部材４が損壊した場合、デバイス全体を投棄する必要がなく、キー単独で交換することができる。したがって、コストを節約するという効果が得られる。
【００２６】
図８、１０は、他の実施の形態による表示装置付きキーの外観を示した斜視図と、取り外しの動作を示した説明図である。図面に開示するように、他の実施の形態は、上述する実施の形態とほぼ同様であるが、透過部５３ａがキーキャップ５ａ上に設けたアクリル板である。即ち、透過部５ａの態様は、一定の形態に限定しないことを表わす。また、キーキャップ５ａには少なくとも１以上のキーキャップ接続部５４ａを設け、スクリーン支持部材３ａにはキーキャップ接続部５４ａに対応して接続する少なくとも１以上の接続支持部３２ａを設ける。よって、キーキャップ５ａは直接スクリーン支持部材３ａに接続する。よって、交換する場合、キーキャップ５ａを引き抜く動作によって直接スクリーン支持部材３ａを連動させて移動させることができ、キー当接部材２ａ及び表示手段当接部材４１ａを取り外すことができる。したがって、取り外して交換する場合の効率を高めることができる。
【符号の説明】
【００２７】
１    キー本体
１１    取付け部
１２    押圧部
１２１    押圧当接部
１３    当接部
１４    中空部
１５    押圧支持部材
２    キー当接部材
２ａ    キー当接部材
２１    キー信号接続部材
３    スクリーン支持部材
３ａ    スクリーン支持部材
３１    当接支持部
３２ａ    接続支持部
４    表示手段
４１    表示手段当接部材
５    キーキャップ
５ａ    キーキャップ
５３    光透過部
５３ａ    光透過部
５４ａ    キーキャップ接続部
６    回路基板
７    固定ボード
【図１】
0003225304.tif 000003
【図２】
0003225304.tif 000004
【図３】
0003225304.tif 000005
【図４】
0003225304.tif 000006
【図５】
0003225304.tif 000007
【図６】
0003225304.tif 000008
【図７】
0003225304.tif 000009
【図８】
0003225304.tif 000010
【図９】
0003225304.tif 000011
【図１０】
0003225304.tif 000012